(57)【要約】【課題】  使用者が検索した見出し語の履歴情報から、使用者が必要とする見出し語を容易に見つけることが出来る電子辞書を提供する。【解決手段】  見出し語の検索において得られた見出し語を履歴として履歴記憶手段に記憶し、検索日時（検索された順番）、検索回数、辞書名、入力言語、品詞、等の情報に基づいて履歴情報の表示順を変更して表示する（Ｓ４６）。もしくはその表示画面から必要な履歴情報を選択して消去する（Ｓ５０）。【選択図】図４
2007226629.tif 000002
【特許請求の範囲】
【請求項１】
情報を入力するための入力手段と、
見出し語と、該見出し語に対応した訳と、該見出し語に対応した例文などの付加情報とを含む辞書データを、辞書の種類毎に格納する本体辞書データ記憶手段と、
前記入力手段から入力された文字情報を含む見出し語を、前記本体辞書データ記憶手段から検索する検索手段と、
前記検索手段で検索した結果得られた見出し語から特定の見出し語を選択する見出し語選択手段と、
前記見出し語選択手段で選択された見出し語を、前記見出し語の属性を補足する補足情報とともに履歴情報として記憶する履歴記憶手段と、
前記履歴記憶手段に記憶された履歴情報を表示する表示手段と、
前記履歴情報を、前記履歴情報の補足情報に基づいて、前記履歴情報の表示順を変更するソート手段とを有し、
前記表示手段は、前記ソート手段で変更した表示順に基づいて前記履歴情報を表示することを特徴とする電子辞書。
【請求項２】
前記補足情報は、前記見出し語を前記検索手段で検索した日時を示す日時情報、前記見出し語を前記検索手段で検索した回数を示す回数情報、前記見出し語が含まれている辞書を示す辞書名情報、前記見出し語が前記入力手段から入力された言語を示す入力言語情報、前記見出し語の品詞を示す品詞情報、の何れかを含む、請求項１に記載の電子辞書。
【請求項３】
前記入力手段は、前記補足情報の何れかを選択する機能と、前記選択した補足情報についてどのような順番で表示させるかを示す順番情報を選択する機能を有し
前記ソート手段は、前記入力手段で選択された補足情報および順番情報に基づいて、前記履歴記憶手段に記憶されている履歴情報の表示順を変更し、
前記表示手段は、前記ソート手段で変更した表示順に基づいて、前記履歴情報を表示する、請求項１または２に記載の電子辞書。
【請求項４】
さらに、当該電子辞書の動作モードを履歴情報の表示モードに切り換えるための履歴表示指示手段を有し、
前記ソート手段は、前記履歴表示指示手段により履歴情報の表示が指示された場合、所定期間内に検索されて履歴記憶手段に記憶された履歴情報に関して、検索された回数の多い見出し語の順、検索された回数の多い辞書名の順、検索された回数の多い入力言語の順もしくは検索された回数の多い品詞の順に、前記履歴記憶手段に記憶されている履歴情報の表示順を変更し、
前記表示手段は、前記ソート手段で変更した表示順に基づいて、前記履歴情報を表示する、請求項１から３の何れかに記載の電子辞書。
【請求項５】
さらに、前記電子辞書の動作モードを履歴情報の表示モードに切り換えるための履歴表示指示手段を有し、
前記ソート手段は、前記履歴表示指示手段により履歴情報の表示が指示された場合、所定期間内に検索されて履歴記憶手段に記憶された履歴情報に関して、検索された回数の少ない見出し語の順、検索された回数の少ない辞書名の順、検索された回数の少ない入力言語の順、もしくは検索された回数の少ない品詞の順に、前記履歴記憶手段に記憶されている履歴情報の表示順を変更し、
前記表示手段は、前記ソート手段で変更した表示順に基づいて、前記履歴情報を表示する、請求項１から３の何れかに記載の電子辞書。
【請求項６】
さらに、前記表示手段に表示される履歴情報から特定の履歴情報を消去する消去手段を有し、
前記表示手段は、前記消去手段によって特定の履歴情報を消去した後の履歴情報を表示する、請求項１から５の何れかに記載の電子辞書。
【請求項７】
前記入力手段は、消去する履歴情報に関する補足情報を選択する機能を有し、
前記消去手段は、前記入力手段により選択された補足情報を含む履歴情報を消去し、
前記表示手段は、前記消去手段によって特定の履歴情報を消去した後の履歴情報を表示する、請求項６に記載の電子辞書。
【請求項８】
情報を入力するための入力手段と、
見出し語と、該見出し語に対応した訳と、該見出し語に対応した例文などの付加情報とを含む辞書データを、辞書の種類毎に格納する本体辞書データ記憶手段と、
前記入力手段から入力された文字情報を含む見出し語を、前記本体辞書データ記憶手段から検索する検索手段と、
前記検索手段で検索した結果得られた見出し語から特定の見出し語を選択する見出し語選択手段と、
前記見出し語選択手段で選択された見出し語を、前記見出し語の属性を補足する補足情報とともに履歴情報として記憶する履歴記憶手段と、
前記履歴記憶手段に記憶された履歴情報を表示する表示手段と、
前記履歴記憶手段に記憶されている履歴情報を、前記補足情報に基づいて抽出する抽出手段とを有し、
前記表示手段は、前記抽出手段で抽出した前記履歴情報を表示することを特徴とする電子辞書。
【請求項９】
前記補足情報は、前記見出し語を前記検索手段で検索した日時を示す日時情報、前記見出し語を前記検索手段で検索した回数を示す回数情報、前記見出し語が含まれている辞書を示す辞書名情報、前記見出し語が前記入力手段から入力された言語を示す入力言語情報、前記見出し語の品詞を示す品詞情報、の何れかを含む、請求項２に記載の電子辞書。
【請求項１０】
前記入力手段は、前記補足情報のいずれかを選択し、選択した当該補足情報のうち特定の情報を選択する機能を有し、
前記抽出手段は、前記入力手段で選択された補足情報の中の特定情報を有する履歴情報を抽出し、
前記表示手段は、前記抽出手段で抽出した前記履歴情報を表示する、請求項８または９に記載の電子辞書。
【請求項１１】
前記補足情報の中の特定情報を選択するための入力手段は、当該電子辞書内に含まれる辞書データの種類を特定する辞書選択手段である、請求項１０に記載の電子辞書。
【発明の詳細な説明】
【技術分野】
【０００１】
本発明は入力された語句に対応する訳及び語句に関連する情報等を表示する電子辞書に係り、見出し語が存在する辞書データを有する電子辞書に関するものである。
【背景技術】
【０００２】
英和辞典、和英辞典、国語辞典等の種々の辞典の内容を電子データとしてデータベース化し、入力された語句に対応する訳を表示する電子辞書が広く普及している。
【０００３】
この電子辞書では、使用者が目的とする語句を入力することで、対応する見出し語を辞書データベースから抽出して、表示するようになっている（例えば特許文献１参照）。
【特許文献１】特開２００４−１６４５０２号公報
【発明の開示】
【発明が解決しようとする課題】
【０００４】
背景技術に記載の電子辞書では、使用者により入力された語句を用いて検索を行った結果得られた見出し語は、使用者が一度は検索した見出し語として記憶手段に記憶される。そして、記憶手段に記憶されている見出し語は、電子辞書の履歴表示機能により、見出し語の検索履歴として一覧表示される。
【０００５】
背景技術に記載の電子辞書では、検索の結果得られた見出し語は、使用者が検索した日時の古い順に記憶手段に順次記憶される。そのため、見出し語の検索履歴を一覧表示した時、目的とする見出し語の検索日時が古いものである場合、検索履歴の一覧表示から新しい見出し語の履歴に関する表示部分を移動させ、目的の見出し語を探す必要があった。
【０００６】
さらに、背景技術に記載の電子辞書は、履歴記憶手段に使用する記憶媒体の容量が限界に達すると、履歴情報を古い見出し語より順次、自動的に消去する仕組となっており、使用者が必要とする過去の見出し語に関する履歴情報は、使用者の意に反して自動的に消去されてしまうという問題があった。
【０００７】
本発明は、上記の問題を鑑みて、使用者が検索した見出し語の履歴情報のリスト表示から、使用者が必要とする見出し語情報を見つけやすい電子辞書を提供する。
【課題を解決するための手段】
【０００８】
上記課題を解決するために、本発明の電子辞書は、情報を入力するための入力手段と、見出し語と、該見出し語に対応した訳と、該見出し語に対応した例文などの付加情報とを含む辞書データを、辞書の種類毎に格納する本体辞書データ記憶手段と、前記入力手段から入力された文字情報を含む見出し語を、前記本体辞書データ記憶手段から検索する検索手段と、前記検索手段で検索した結果得られた見出し語から特定の見出し語を選択する見出し語選択手段と、前記見出し語選択手段で選択された見出し語を、前記見出し語の属性を補足する補足情報とともに履歴情報として記憶する履歴記憶手段と、前記履歴記憶手段に記憶された履歴情報を表示する表示手段と、前記履歴情報を、前記履歴情報の補足情報に基づいて、前記履歴情報の表示順を変更するソート手段とを有し、前記表示手段は、前記ソート手段で変更した表示順に基づいて前記履歴情報を表示することを特徴とする。
【０００９】
ここで前記補足情報は、前記見出し語を前記検索手段で検索した日時を示す日時情報、前記見出し語を前記検索手段で検索した回数を示す回数情報、前記見出し語が含まれている辞書を示す辞書名情報、前記見出し語が前記入力手段から入力された言語を示す入力言語情報、前記見出し語の品詞を示す品詞情報、の何れかを含むものとする。
【００１０】
また、前記入力手段は、前記補足情報の何れかを選択する機能と、前記選択した補足情報についてどのような順番で表示させるかを示す順番情報を選択する機能を有し前記ソート手段は、前記入力手段で選択された補足情報および順番情報に基づいて、前記履歴記憶手段に記憶されている履歴情報の表示順を変更し、前記表示手段は、前記ソート手段で変更した表示順に基づいて、前記履歴情報を表示するものとする。
【００１１】
また本発明の電子辞書は、さらに、当該電子辞書の動作モードを履歴情報の表示モードに切り換えるための履歴表示指示手段を有し、前記ソート手段は、前記履歴表示指示手段により履歴情報の表示が指示された場合、所定期間内に検索されて履歴記憶手段に記憶された履歴情報に関して、検索された回数の多い見出し語の順、検索された回数の多い辞書名の順、もしくは検索された回数の多い品詞の順に、前記履歴記憶手段に記憶されている履歴情報の表示順を変更し、前記表示手段は、前記ソート手段で変更した表示順に基づいて、前記履歴情報を表示するものとする。
【００１２】
また本発明の電子辞書は、さらに、前記電子辞書の動作モードを履歴情報の表示モードに切り換えるための履歴表示指示手段を有し、前記ソート手段は、前記履歴表示指示手段により履歴情報の表示が指示された場合、所定期間内に検索されて履歴記憶手段に記憶された履歴情報に関して、検索された回数の少ない見出し語の順、検索された回数の少ない辞書名の順、もしくは検索された回数の少ない品詞の順に、前記履歴記憶手段に記憶されている履歴情報の表示順を変更し、前記表示手段は、前記ソート手段で変更した表示順に基づいて、前記履歴情報を表示するものとする。
【００１３】
また本発明の電子辞書は、さらに、前記表示手段に表示される履歴情報から特定の履歴情報を消去する消去手段を有し、前記表示手段は、前記消去手段によって特定の履歴情報を消去した後の履歴情報を表示するものとする。
【００１４】
また前記入力手段は、消去する履歴情報に関する補足情報を選択する機能を有し、前記消去手段は、前記入力手段により選択された補足情報を含む履歴情報を消去し、前記表示手段は、前記消去手段によって特定の履歴情報を消去した後の履歴情報を表示するものとする。
【００１５】
また本発明の電子辞書は、情報を入力するための入力手段と、見出し語と、該見出し語に対応した訳と、該見出し語に対応した例文などの付加情報とを含む辞書データを、辞書の種類毎に格納する本体辞書データ記憶手段と、前記入力手段から入力された文字情報を含む見出し語を、前記本体辞書データ記憶手段から検索する検索手段と、前記検索手段で検索した結果得られた見出し語から特定の見出し語を選択する見出し語選択手段と、前記見出し語選択手段で選択された見出し語を、前記見出し語の属性を補足する補足情報とともに履歴情報として記憶する履歴記憶手段と、前記履歴記憶手段に記憶された履歴情報を表示する表示手段と、前記履歴記憶手段に記憶されている履歴情報を、前記補足情報に基づいて抽出する抽出手段とを有し、前記表示手段は、前記抽出手段で抽出した前記履歴情報を表示することを特徴とする。
【００１６】
ここで前記補足情報は、前記見出し語を前記検索手段で検索した日時を示す日時情報、前記見出し語を前記検索手段で検索した回数を示す回数情報、前記見出し語が含まれている辞書を示す辞書名情報、前記見出し語が前記入力手段から入力された言語を示す入力言語情報、前記見出し語の品詞を示す品詞情報、の何れかを含むものとする。
【００１７】
また前記入力手段は、前記補足情報のいずれかを選択し、選択した当該補足情報のうち特定の情報を選択する機能を有し、前記抽出手段は、前記入力手段で選択された補足情報の中の特定情報を有する履歴情報を抽出し、前記表示手段は、前記抽出手段で抽出した前記履歴情報を表示するものとする。
【００１８】
また前記補足情報の中の特定情報を選択するための入力手段は、当該電子辞書内に含まれる辞書データの種類を特定する辞書選択手段であるものとする。
【発明の効果】
【００１９】
本発明によれば、履歴記憶手段に記憶されている見出し語の表示順を使用者の目的に沿って任意に、且つ容易に設定することが可能であるため、使用者が必要とする見出し語を容易に認識することができ、不必要な見出し語の消去を容易に行うことができる。
【００２０】
さらに、特定の小項目（例えば英和辞書、特定の日時、特定の入力言語、等）を有する履歴情報のみを抽出して表示させることにより、さらに必要とする見出し語の発見を容易にすることができる。
【発明を実施するための最良の形態】
【００２１】
【実施例１】
【００２２】
以下、実施例１として、本発明の電子辞書における好適な実施の形態について、図１から図３を参照して詳細に説明する。
【００２３】
図１は、本発明の電子辞書の構成を表したブロック図である。図２は、電子辞書の外観を示す平面図である。
【００２４】
図１に示されるように、電子辞書は、各部の制御を行うと共に、辞書検索を含む本実施形態における連語検索等の各種制御を行う制御部１１を備えている。
【００２５】
この制御部１１には、入力手段１２、使用機能選択手段１３、表示手段１４、リード・オンリー・メモリ（以後、ＲＯＭという）１５、及びランダム・アクセス・メモリ（以後、ＲＡＭという）１６が接続されている。
【００２６】
入力手段１２及び使用機能選択手段１３は、電子辞書を使用する際に各種入力を行う際に使用される。
【００２７】
入力手段１２は、図２に示されるように、電源のオンオフを行う電源キー２０、検索したい文字を入力するための文字キー２１（以後、キーボード２１という）、カーソルや選択箇所の移動を行うカーソルキー２２（十字キー）、検索したい文字を確定させて入力に対する検索結果の表示を指示する訳画面表示キー２５、辞書の種類を選択する辞書選択キー２４、を備えている。
【００２８】
使用機能選択手段１３は、図２に示されるように、見出し語検索の履歴を表示する履歴表示キー２３、履歴情報の見出し語リストをソートする履歴ソートキー２６、履歴情報の見出し語リストを消去する履歴消去キー２７、を備えている。
【００２９】
入力手段１２及び使用機能選択手段１３はそれぞれ、図示しないが、例えば数字を表すテンキー、その他の各種キーを備えていてもよい。
【００３０】
表示手段１４は液晶表示装置が使用され、図２における液晶表示画面２８が対応している。表示手段に１４には、キーボード２１から入力された文字や単語、及び検索された見出し語や訳、履歴情報等が表示されるようになっている。
【００３１】
ＲＯＭ１５は、電子辞書として訳や語意等を検索するための辞書データである辞書本体データ記憶手段１５ａ、検索して得られた見出し語を記憶する検索履歴記憶手段１５ｂ、各種プログラムを記憶するプログラム記憶手段１５ｃを備えている。
【００３２】
辞書本体データ１５ａは、本実施形態では、英和、和英、英英及び類語辞書、国語辞典等の各辞書における見出し語とその訳、意味、及び例文がある場合には例文が格納されている。辞書データ記憶手段１５ａに関しては、一部又は全部のデータをコンパクトフラッシュメモリ等の、電子辞書から取り外し可能な記憶媒体を使用するようにし、新たな辞書データ等を追加するようにしてもよい。
【００３３】
履歴記憶手段１５ｂは、入力手段１２からの文字情報をもとに見出し語の検索を行い、見出し語が存在した場合、その見出し語とともに補足情報を、履歴情報として記憶する。補足情報には、検索をした日時情報（または検索の新旧が変わるような順番の情報等）、辞書の種類に関する情報（英和、和英等）、入力言語の情報（アルファベットで入力する言語なのか、日本語なの等）、品詞情報（名詞、動詞等）などがある。補足情報は上記全てを記憶する必要は無く、必要に応じて適当な補足情報を記憶すればよい。
【００３４】
プログラム記憶手段１５ｃは、制御手段により実行される、本発明の電子辞書を動作させるためのプログラムが記憶されている。
【００３５】
ＲＡＭ１６は、入力手段１２から入力された文字データを一時的に記憶する文字データ一次記憶手段１６ａを備えている。またＲＡＭ１６は、図示しないが、さまざまな機能を実行した際の処理領域として使用される。
【００３６】
次に本発明の電子辞書の機能について説明する。図５（ａ）は、検索の結果得られた見出し語を履歴情報として履歴記憶手段１５ｂに記憶する機能に関する機能ブロック図である。
【００３７】
入力手段５１は、図１で説明した入力手段１２であり、キーボード２１等から検索する文字の入力を受け、制御部１１に入力データを送出する。
【００３８】
検索手段５２は、入力手段５１からの入力データを使用して、辞書データ記憶手段１５の辞書本体データ１５ａの検索を行う。
【００３９】
表示手段５４は、図１で説明した表示手段１４であり、検索手段５２から検索結果に関する表示情報を取得して、液晶表示画面２８を用いて表示する
見出し語選択手段５３は、液晶表示画面２８に表示された検索結果、すなわち入力手段５１からの入力データと一致もしくは類似する見出し語から、必要とする見出し語を、入力手段（カーソルキー２２等）を用いて選択する。
【００４０】
履歴記憶手段５５は、見出し語選択手段５３によって選択した見出し語を、先に説明した補足情報と共に、履歴記憶手段１５ｂに履歴情報として記憶する。
【００４１】
図５（ｂ）は、履歴情報の表示に関する機能ブロック図である。
【００４２】
履歴表示指示手段６１は、使用機能選択手段１３の履歴表示キー２３からの入力を受け、履歴記憶手段１５ｂに記憶されている見出し語および補足情報を読出す。
【００４３】
表示手段５４は、履歴表示指示手段６１から見出し語および補足情報に関する表示情報を取得して、履歴情報として液晶表示画面２８に表示する。表示手段５４はまた、消去手段６２によって成された履歴情報の消去、もしくはソート手段６３によって成された履歴情報の並べ替え、に関する表示情報を取得して、再度、履歴情報として液晶表示画面２８に表示する。
【００４４】
消去手段６２は、入力手段５１からの入力情報に基づいて、表示手段５４に表示された履歴情報である見出し語から必要な見出し語を消去する。
【００４５】
ソート手段６３は、入力手段５１からの入力情報に基づいて、表示手段５４に表示された履歴情報を並べ替える。
【００４６】
これらの機能は、ＲＯＭのプログラム記憶手段１５ｃに記憶されているプログラムを制御手段１１が読み出して実行し、必要なハードウエアの動作を制御することによって実現される。
【００４７】
次に本発明の動作の流れを説明する。図３は、入力手段１２によって文字を入力してから、見出し語を履歴記憶手段１５ｂに記憶するまでの動作を示すフローチャートである。
【００４８】
まず、入力手段１２の一種であるキーボード２１によって、アルファベット、およびローマ字入力で文字が入力される（Ｓ３１）。
【００４９】
この入力を受けて、入力された文字データが辞書本体データ１５ａに見出し語として存在するか否か検索する（Ｓ３２）。
【００５０】
検索の結果、見出し語が存在しない場合には（Ｓ３３のＮＯ分岐）、電子辞書の使用者に該当の見出し語が存在しないことを、表示手段１４である液晶表示画面２８等を使用して通知する（Ｓ３４）。
【００５１】
検索の結果、見出し語が存在する場合には（Ｓ３３のＹＥＳ分岐）、該当する見出し語およびその対訳を本体辞書データ１５ａから抽出し、液晶表示画面２８を使用して表示する（Ｓ３５）。
【００５２】
次いで、表示手段１４に表示した見出し語を、見出し語検索履歴記憶手段１５ｂに補足情報とともに記憶する（Ｓ３６）。
【００５３】
その後、履歴情報の表示（消去）を行う。これを図４のフローチャートを用いて説明する。
【００５４】
まず、入力手段１２の中から履歴表示キー２３が選択され、押下される（Ｓ４１）。履歴情報の表示は、使用機能選択手段１３の一種である履歴表示キー２３を押下することによって実現される。
【００５５】
次に、履歴表示キー２３の選択を受けて、履歴記憶手段１５ｂに記憶されている履歴情報としての見出し語および補足情報が読み出され、履歴情報として液晶表示画面２８によって表示する（Ｓ４２）。
【００５６】
Ｓ４２において履歴表示をしている状態で、使用機能選択手段１３の一種である履歴ソート２６もしくは履歴消去２７を用い、履歴表示の状態を変更することができる。
【００５７】
履歴ソートキー２６が選択された場合（Ｓ４３のソート分岐）、次にソートに使用する項目を選択する（Ｓ４４）。ソートする項目として、検索日時（新旧の順番）、検索回数、辞書名、言語名、品詞名などがある。これらの項目を液晶表示画面２８に表示し、それを入力手段１２のカーソルキー２２等を用いて選択する。
【００５８】
項目を選択後、その項目についてどのような表示順にするかを選択する（Ｓ４５）。例えば、検索日時（新旧の順番）ならば日時が新しい順または古い順（番号の大きい順または小さい順）、検索回数ならば見出し語検索履歴記憶手段１５ｂに見出し語がより多く存在する順等、辞書名ならば５０音順または見出し語検索履歴記憶手段に見出し語がより多く存在する辞書順等、言語名ならば５０音順または見出し語検索履歴記憶手段に見出し語がより多く存在する言語順等、品詞名ならば５０音順または見出し語検索履歴記憶手段に見出し語がより多く存在する品詞順等、を選定可能なように、表示順の候補を液晶表示画面２８に表示し、それを入力手段１２のカーソルキー２２等を用いて選択するようにすればよい。
【００５９】
このように選択した項目について選択した表示順に基づいて、履歴記憶手段１５ｂの見出し語の並べ替えを行い、再度、履歴情報として表示する（Ｓ４６）。
【００６０】
Ｓ４４からＳ４６の表示画面の例を図６に示す。図６（ａ）は、Ｓ４４において項目として「辞書名（Ａ）」が選ばれ、Ｓ４５において順番として「回数の多い順（Ｂ）」が選ばれた画面の例である。図６（ｂ）は、Ｓ４６において履歴情報の表示を行う際の表示画面の例である。このように、よく使用している辞書から順に履歴情報としての見出し語を表示することができるため、使用者が必要と思われる見出し語を見つけ出す可能性が増大する。
【００６１】
次にＳ４３において、履歴消去キー２６が選択された場合（Ｓ４３の削除分岐）、次に削除する項目を選択し（Ｓ４７）、表示順を選択する（Ｓ４８）。これは、先に説明したＳ４４およびＳ４５と同様の手法を用いて行う。
【００６２】
そして、このように選択した項目について選択した表示順に基づいて、履歴記憶手段１５ｂの見出し語の並べ替えを行い、再度、履歴情報として表示し、その中から消去する見出し語を選択する（Ｓ４９）。この選択は、表示されている個々の見出し語を入力手段１２のカーソルキー２２等を用いて選択してもよいし、特定の項目に含まれる見出し語を全て消去するようにしてもよい。その画面の例を図９に示す。
【００６３】
図９は、Ｓ４７からＳ４９の表示画面の例である。図９（ａ）は、Ｓ４７において項目として「辞書名（Ｆ）」が選ばれ、Ｓ４８において順番として「回数の多い順（Ｇ）」が選ばれた画面の例である。図９（ｂ）は、Ｓ４９において履歴情報の表示を行い、消去する見出し語を選択している表示画面の例である。個々に見出し語（例えばｗｈｅｒｅｉｎ（Ｊ））を選択することも可能であるが、辞書名（例えば英和（Ｈ））を選択することで、その辞書名を補足情報として有する見出し語に関する履歴情報をまとめて消去することも可能である。
【００６４】
このようにして履歴情報を消去した後、履歴記憶手段１５ｂの見出し語の並べ替えを行い、再度、履歴情報として表示する（Ｓ５０）。
【００６５】
このようにすることで、単なる履歴情報のリスト表示の中から、必要とする見出し語を、画面をスクロール等することなく、項目等で並べ替えた状況から容易に見つけ出すことが可能になり、必要の無い履歴情報の削除も容易になる。
【００６６】
尚、Ｓ４２においてはじめて履歴情報の表示を行う際、ソートする項目や表示順については予め設定しておき、履歴表示キー２３を押下した際にその設定した項目や表示順で表示するようにしてもよい。
【００６７】
また、使用者が履歴情報を見るケースとは、電子辞書を学習等に使用している中、日々の学習の復習時に起こりうるケースが多いと考えられる。その場合、使用者は、最近数日などの所定期間中に使用した辞書に関する履歴情報を確認しようとすることが予想される。そのため、最近数日などの所定期間内に一番多く使用された辞書の順などと予め設定しておくことにより、Ｓ４１において履歴表示キー２３を押した直後に、最近数日などの所定期間内に一番多く使用された辞書の順に表示することができ、使用者が必要な履歴情報を見つけることができる可能性を増大させることができる。これは、履歴情報の補足情報に含まれる日時情報と辞書名情報を用いて、履歴情報の並べ替えを行うことで実現することが可能である。
【００６８】
またこれは、所定期間内に検索されて履歴記憶手段に記憶された履歴情報に関して、検索された回数の多い見出し語の順、検索された回数の多い入力言語の順、もしくは検索された回数の多い品詞の順としてもよい。
【００６９】
また逆に、消去したい履歴情報は、最近あまり使用していない辞書に関する情報であるケースが考えられる。そのため、最近数日などの所定期間内に一番少なく使用された辞書順などと予め設定しておくことにより、消去作業の効率化を図ることができる。
【００７０】
これについても、所定期間内に検索されて履歴記憶手段に記憶された履歴情報に関して、検索された回数の少ない見出し語の順、検索された回数の少ない入力言語の順、もしくは検索された回数の少ない品詞の順としてもよい。
【実施例２】
【００７１】
本発明の実施例２を説明する。本発明の変形例の電子辞書は、上記実施例１で説明した電子辞書とハードウエアの構成、および検索の結果得られた見出し語を履歴情報として履歴記憶手段１５ｂに記憶する機能等は基本的には同一であるため、断りの無い限り同一の符号を用いて説明する。
【００７２】
実施例２は、履歴情報を並べ替えて表示する変わりに、特定の属性（請求項中の特定情報に相当する。以後、小項目という）を有する履歴情報のみを表示する例である。
【００７３】
図５（ｃ）は、実施例２における履歴情報の表示に関する機能ブロック図である。図中、履歴表示指示手段６１は図５（ｂ）の説明で述べたのもと同一である。抽出手段７１は、入力手段５１からの入力情報に基づいて、特定の小項目を決定し、その小項目を有する履歴記憶手段１５ｂから履歴情報を抽出する。表示手段５４は、抽出手段７１が抽出した履歴情報を表示する。
【００７４】
これらの機能は、ＲＯＭのプログラム記憶手段１５ｃに記憶されているプログラムを制御手段１１が読み出して実行し、必要なハードウエアの動作を制御することによって実現される。
【００７５】
実施例２の基本的動作について、図１０のフローチャートを用いて説明する。
【００７６】
まず、入力手段１２の中から履歴表示キー２３が選択され、押下される（Ｓ８１）。履歴情報の表示は、使用機能選択手段１３の一種である履歴表示キー２３を押下することによって実現される。
【００７７】
次に、抽出項目を選択する（Ｓ８２）。項目は実施例１と同様に、検索日時（新旧の順番）、検索回数、辞書名、言語名、品詞名などがある。これらの項目を液晶表示画面２８に表示し、それを入力手段１２のカーソルキー２２等を用いて選択し、さらに、その項目の中で抽出したい小項目を選択する。
【００７８】
そして、選択した項目および小項目に属する履歴情報のみを履歴記憶手段１５ｂから抽出し、履歴情報として表示する（Ｓ８３）。
【００７９】
履歴情報の表示後、別の項目および小項目を使用した履歴情報の表示を行う場合（Ｓ８４のＮＯ分岐）、Ｓ８２に戻る。別の項目および小項目を使用した履歴情報の表示を行わない場合には、フローを終了する。
【００８０】
Ｓ８２およびＳ８３の表示画面の例を図７に示す。図７（ａ）は、Ｓ８２において項目として「入力言語（Ｃ）」が選ばれ、小項目として「アルファベット（Ｄ）」が選ばれた画面の例である。図７（ｂ）は、Ｓ８３において履歴情報の表示を行う際の表示画面の例である。このように、選択した小項目の履歴情報だけを表示させることにより、表示画面をスクロールしなくてはならないほど履歴情報が履歴記憶手段１５ｂに存在する場合でも、必要と思われる履歴情報のみを抽出して表示することができ、使用者が必要と思われる見出し語を見つけ出す可能性が増大する。
【００８１】
尚、履歴情報を小項目毎に表示させる場合、辞書名毎に表示させるケースが考えられる。その場合、図８（ａ）のように、表示画面に辞書名（Ｅ）を表示させ、入力手段を用いて選択できるようにすると、図７（ａ）で説明したように複数回の選択処理を行わなくても小項目を選択できる。図８（ａ）では辞書名の場合の例を示したが、使用者の目的に合わせて別の項目（日時情報、回数情報、入力言語情報、品詞情報等）における小項目を表示させ、選択するようにすることも可能である。
【００８２】
特に、項目が辞書名である場合には、図８（ｂ）のように、電子辞書に搭載されている、辞書の種類を選択する辞書選択キー２４を用いて、辞書名を選択するようにすると、小項目として辞書名を表示させなくても容易に小項目の選択をすることができる。
【００８３】
また、このように小項目を選択してそこに属する履歴情報のみを表示させ、そこに含まれる必要な履歴情報を消去するようにすることもできる。この場合にも、項目が辞書名であれば、辞書選択キー２４を使用することで、容易に項目選択をすることができる。またこれにより、辞書選択キー２４の有効活用も図れる。
【００８４】
以上、本発明の実施例１および２により、履歴記憶手段１５ｂに記憶されている見出し語の表示順を使用者の目的に沿って任意に、且つ容易に設定することが可能であるため、使用者が必要とする見出し語を容易に認識することができ、不必要な見出し語の消去を容易に行うことができる。さらに、特定の小項目に属する履歴情報のみを抽出して表示させることにより、さらに必要とする見出し語の発見を容易にすることができる。
【図面の簡単な説明】
【００８５】
【図１】本発明の一実施形態における電子辞書の構成を表したブロック図である。
【図２】電子辞書の外観を示す平面図である。
【図３】入力手段１２によって文字を入力してから、見出し語を履歴記憶手段１５ｂに記憶するまでの動作を示すフローチャートである。
【図４】履歴表示（消去）を行う動作を示すフローチャートである。
【図５】本発明の機能ブロック図である。
【図６】本発明の表示画面の一例である。
【図７】本発明の表示画面の一例である。
【図８】本発明の特定の属性（小項目）を選択する手段を示す例である。
【図９】本発明の表示画面の一例である。
【図１０】履歴表示（特定の属性（小項目）の履歴情報を抽出）を行う動作を示すフローチャートである。
【符号の説明】
【００８６】
１１  制御部
１２、５１  入力手段
１３  使用機能選択手段
１４、５４  表示手段
１５  辞書データ記憶手段
１５ａ  辞書本体データ
１５ｂ  見出し語検索履歴記憶手段
１５ｃ  プログラム制御手段
１６  ＲＡＭ
１６ａ  文字データ一時記憶手段
２１  入／切キー
２２  カーソル移動キー（十字キー）
２３  履歴表示キー
２４  辞書選択キー
２５  訳決定キー
２６  履歴ソートキー
２７  履歴消去キー
２８  液晶表示部
５２  検索手段
５３  見出し語選択手段
５５  履歴記憶手段
６１  履歴表示指示手段
６２  消去手段
６３  ソート手段
７１  抽出手段
【図１】
2007226629.tif 000003
【図２】
2007226629.tif 000004
【図３】
2007226629.tif 000005
【図４】
2007226629.tif 000006
【図５】
2007226629.tif 000007
【図６】
2007226629.tif 000008
【図７】
2007226629.tif 000009
【図８】
2007226629.tif 000010
【図９】
2007226629.tif 000011
【図１０】
2007226629.tif 000012